(57)【特許請求の範囲】
【請求項１】
外部の訓練センターから有線または無線通信を介して認知訓練プログラムを受信するためのＡＩスピーカーまたはセットトップボックスと、
前記ＡＩスピーカーまたはセットトップボックスを介して受信した前記認知訓練プログラムを再生するためのディスプレイと、
ユーザーが前記ディスプレイに再生される前記認知訓練プログラムに従って訓練を進行する間に、前記ユーザーの動きを検出するモーションキャプチャー装置と、
前記訓練センターに備えられ、前記ユーザーに前記認知訓練プログラムを提供する訓練プログラム提供装置と、
を備え、
前記訓練プログラム提供装置は、第１プログラム提供部と第２プログラム提供部を含み、
前記第１プログラム提供部は、前記認知訓練プログラムを提供し、
前記ＡＩスピーカーまたはセットトップボックスは、前記第１プログラム提供部が提供した前記認知訓練プログラムに従って前記ユーザーが遠隔で訓練を進行する間に、前記モーションキャプチャー装置が検出した前記ユーザーの動きと、当該動きに該当する前記認知訓練プログラムでの動きとを比較し、現在訓練ステップの次のステップに進めるかまたは前記現在訓練ステップを再実施するかを決定する訓練決定部を含み、
前記第２プログラム提供部は、
前記ユーザーが行う活動内容を表す複数の第１アイコンと、前記複数の第１アイコンそれぞれに対応する前記活動内容への満足度を示す複数の第２アイコンとを含む入力画面を表示する入力画面提供部と、
前記ユーザーが行った活動内容を示す前記第１アイコンと当該第１アイコンに対応する活動内容に対する前記ユーザーの満足度を示す前記第２アイコンとの選択を、前記入力画面を介して受け付けて、選択された第１選択アイコン及び第２選択アイコンを格納する選択アイコン格納部と、
前記入力画面を介して前記第１選択アイコン及び前記第２選択アイコンを前記ユーザーが選択した第１時点の後の第２時点において表示されるログイン画面を介してログインすると、前記入力画面を介して選択した前記第１選択アイコン及び前記第２選択アイコンを含む、前記ユーザーの記憶力をテストするための複数のテスト用アイコンを表示し、表示された前記複数のテスト用アイコンから、前記第１時点において前記ユーザーが選択した前記第１選択アイコン及び前記第２選択アイコンを選択するか否かをテストするためのテスト画面を提供するテスト画面提供部と、
前記テスト画面を介して前記ユーザーが前記複数のテスト用アイコンから第１テスト用アイコン及び第２テスト用アイコンを選択すると、選択された前記第１テスト用アイコン及び前記第２テスト用アイコンと前記選択アイコン格納部に格納された前記第１選択アイコン及び前記第２選択アイコンとをそれぞれ比較し、比較結果に基づいて前記ユーザーの記憶点数を算出する記憶点数算出部と、
前記記憶点数算出部が算出した前記記憶点数に基づいたフィードバック画面を提供するフィードバック画面提供部と、
を含む、
遠隔認知訓練システム。
【請求項２】
前記ＡＩスピーカーまたはセットトップボックスは、受信した前記認知訓練プログラムを格納するプログラム格納部をさらに含む、
請求項１に記載の遠隔認知訓練システム。
【請求項３】
前記第２プログラム提供部は、
前記ユーザーが前記ログイン画面を介してログインすると、日付を選択し、前記複数の第１アイコンのうち少なくとも一つの第１アイコンを選択するための第１入力画面を提供する第１入力画面提供部と、
前記ユーザーが前記第１入力画面を介して選択した前記日付及び前記第１アイコンを格納する第１格納部と、
前記第１入力画面を介して前記日付及び前記第１アイコンを選択した前記ユーザーが前記日付及び前記第１アイコンを選択した当日またはそれ以降に前記ログイン画面を介してログインすると、前記第１格納部に格納された前記日付及び前記第１アイコンを表示して前記日付の日に前記第１アイコンに該当する活動の遂行可否を選択し、前記複数の第２アイコンのうち前記活動に対する満足度に該当する少なくとも一つの前記第２アイコンを選択するための第２入力画面を提供する第２入力画面提供部と、
前記ユーザーが前記第２入力画面を介して選択した前記活動の遂行可否及び前記第２アイコンを格納する第２格納部と、
予め設定された期間の間に前記第２格納部に格納された前記活動の遂行可否及び前記第２アイコンを累積し、活動遂行率及び満足度別統計値を算出する統計値算出部と、
前記統計値算出部が算出した前記活動遂行率及び前記満足度別統計値を表示する統計値表示部と
を含む、
請求項１又は２に記載の遠隔認知訓練システム。
【請求項４】
前記第２プログラム提供部は、前記統計値算出部が算出した前記活動遂行率及び前記満足度別統計値に基づいて前記ユーザーに今後勧められる活動を提案する今後活動提案部をさらに含む、
請求項３に記載の遠隔認知訓練システム。
【請求項５】
予め設定された期間の間に前記選択アイコン格納部に格納された前記第１アイコン及び前記第２アイコンを累積し、満足度別統計値を算出する統計値算出部と、
前記統計値算出部が算出した前記満足度別統計値を表示する統計値表示部と
をさらに含む、
請求項１又は２に記載の遠隔認知訓練システム。
【請求項６】
前記第２プログラム提供部は、前記統計値算出部が算出した前記満足度別統計値に基づいて前記ユーザーに今後勧められる活動を提案する今後活動提案部をさらに含む、
請求項５に記載の遠隔認知訓練システム。
【発明の詳細な説明】
【技術分野】
【０００１】
本発明は、遠隔認知訓練システムに関する。
【背景技術】
【０００２】
日常のことを理解し、状況を判断及び決定し、環境に適応する能力である認知機能に障害があると、独立して日常生活を行っていこうとする活動を行うのに否定的な影響を及ぼす恐れがある。認知能力が衰えると、環境が提供する様々な情報を処理するのに問題が起こるからである。
【０００３】
弱化または損傷した認知能力を回復するためには、適切な訓練が必要であり、このような訓練は作業遂行能力を向上させて様々な活動が行える能力を高め、日常生活を独立に行うことを可能にする。認知訓練は、自分自身の低下した認知機能を高めて潜在力を発揮するようにし、軽度認知障害やアルツハイマーのような認知機能の低下を予防する。認知リハビリテーションは、脳の損傷で認知的活動が難しくなった場合にその回復の助けになる。
【０００４】
現代社会で認知障害を訴える人は増加し続ける傾向である。脳梗塞、脳卒中、痴呆などが代表的な例であり、成人病と各種のストレスの増加によってこのような患者の数が増加していると言える。
【０００５】
運動機能が正常である患者でも、認知機能の損傷はリハビリテーションを難しくする場合がある。認知リハビリテーション治療は、専門家と専門医療装置を介して行われるので、場所及び時間の制約を受けることになり、患者のみならず、その保護者にも多くの経済的及び時間的負担を与える。
【０００６】
さらに、患者ではなく一般人であっても、認知能力の弱化を予防する意味での認知訓練が必要な場合がある。このような場合にも、場所と時間の制約から逃れ、都合の良い時間に都合の良い場所で（例えば、家で）認知訓練を実施可能な環境が必要である。
【０００７】
特許文献１ないし４は、認知リハビリテーション治療及び遠隔リハビリテーション運動に関するシステム及び方法を記載している。
【先行技術文献】
【特許文献】
【０００８】
【特許文献１】韓国特許公開公報第１０−２００９−００１０８７４号
【特許文献２】韓国特許公報第１０−１６２０６２４号
【特許文献３】韓国特許公報第１０−１９７８６９５号
【特許文献４】韓国特許公開公報第１０−２０１９−００４６１０７号
【発明の概要】
【発明が解決しようとする課題】
【０００９】
そこで、経済的及び時間的な制限を解消し、効率的に認知訓練を受けるためには、一般人または患者が望む時間帯に望む場所で（例えば、家で）個人に特化した認知訓練（痴呆防止訓練、健康体操、記憶力向上、精神健康向上など）が受けられる環境が必要である。
【００１０】
本発明は上記に鑑みてなされたものであり、一般人または患者が望む時間帯に望む場所で個人に特化した訓練が受けられる遠隔認知訓練システム及び遠隔認知訓練方法を提供することを一つの目的とする。
【００１１】
さらに、記憶力訓練と結合し、認知機能が高まるようにすることで、未来の計画を肯定的に設計できるように支援する遠隔認知訓練システム及び遠隔認知訓練方法を提供することをもう一つの目的とする。
【００１２】
本発明の解決課題は以上で言及されたものに限定されず、言及されていない他の解決課題は下記の記載から当該技術分野における通常の知識を有した者に明確に理解できるであろう。
【課題を解決するための手段】
【００１３】
本発明の少なくとも一つの実施例においては、外部の訓練センターから有線または無線通信を介して認知訓練プログラムを受信するためのＡＩスピーカーまたはセットトップボックスと、前記ＡＩスピーカーまたはセットトップボックスを介して受信した前記認知訓練プログラムを再生するためのディスプレイと、ユーザーが前記ディスプレイに再生される認知訓練プログラムに従って訓練を進行すると、前記ユーザーの動きを検出するモーションキャプチャー装置とを備え、前記ＡＩスピーカーまたはセットトップボックスは、それぞれ固有のＩＤを有し、前記モーションキャプチャー装置が検出した前記ユーザーの動きと該当する前記認知訓練プログラムでの動きとを比較し、現在訓練ステップの次のステップに進めるかまたは現在訓練ステップを再実施するかを決定する訓練決定部を含む、遠隔認知訓練システムを提供する。
【００１４】
本発明の少なくとも一つの実施例において、前記ＡＩスピーカーまたはセットトップボックスは、受信した前記認知訓練プログラムを格納するプログラム格納部をさらに含む。
【００１５】
本発明の少なくとも一つの実施例において、前記遠隔認知訓練システムは、前記ユーザーの身体に付着し、前記ユーザーと所定の距離内に他人が近づくかまたは前記ユーザーが予め設定された活動範囲内に入ると自動でオン・オフされ、前記ユーザーの動きによる動画像を撮影するアクションカメラをさらに備え、前記アクションカメラは、撮影した前記動画像を前記ＡＩスピーカーまたはセットトップボックスに送信する。
【００１６】
本発明の少なくとも一つの実施例において、前記ＡＩスピーカーまたはセットトップボックスは、前記アクションカメラから受信した前記動画像を前記訓練センターに転送する。
【００１７】
本発明の少なくとも一つの実施例において、前記遠隔認知訓練システムは、訓練プログラム提供装置を含む訓練センターをさらに備え、前記訓練プログラム提供装置は、前記認知訓練プログラムを提供する第１プログラム提供部と精神健康管理プログラムを提供する第２プログラム提供部を含み、前記第２プログラム提供部は、活動内容を表す複数の第１アイコン及び前記活動内容に対する満足度を表す複数の第２アイコンを格納するアイコン格納部と、前記ユーザーがログイン画面を介してログインすると、日付を選択し、前記複数の第１アイコンのうち少なくとも一つの第１アイコンを選択するための第１入力画面を提供する第１入力画面提供部と、前記ユーザーが前記第１入力画面を介して選択した前記日付及び前記第１アイコンを格納する第１格納部と、前記第１入力画面を介して前記日付及び前記第１アイコンを選択した前記ユーザーが前記日付及び前記第１アイコンを選択した当日またはそれ以降に前記ログイン画面を介してログインすると、前記第１格納部に格納された前記日付及び前記第１アイコンを表示して前記日付の日に前記第１アイコンに該当する活動の遂行可否を選択し、前記複数の第２アイコンのうち前記活動に対する満足度に該当する少なくとも一つの第２アイコンを選択するための第２入力画面を提供する第２入力画面提供部と、前記ユーザーが前記第２入力画面を介して選択した前記活動の遂行可否及び前記第２アイコンを格納する第２格納部と、予め設定された期間の間に前記第２格納部に格納された前記活動の遂行可否及び前記第２アイコンを累積し、活動遂行率及び満足度別統計値を算出する統計値算出部と、前記統計値算出部が算出した前記活動遂行率及び前記満足度別統計値を表示する統計値表示部とを含む。
【００１８】
本発明の少なくとも一つの実施例において、前記第２プログラム提供部は、前記統計値算出部が算出した前記活動遂行率及び前記満足度別統計値に基づいて前記ユーザーに今後勧められる活動を提案する今後活動提案部をさらに含む。
【００１９】
本発明の少なくとも一つの実施例において、前記第２プログラム提供部は、前記第１入力画面を介して前記日付及び前記第１アイコンを選択した前記ユーザーがその翌日またはそれ以降に前記ログイン画面を介してログインすると、前記第１入力画面を介して選択した前記日付及び前記第１アイコンを含む複数のアイコンを表示し、表示された前記複数のアイコンから前記第１入力画面を介して選択した前記日付及び前記第１アイコンを選択するようにするテスト画面を提供するテスト画面提供部と、前記テスト画面を介して前記ユーザーが表示された前記複数のアイコンから日付及び第１アイコンを選択すると、選択した日付及び第１アイコンと前記第１格納部に格納された前記日付及び前記第１アイコンとをそれぞれ比較し、比較結果に基づいて前記ユーザーの記憶点数を算出する記憶点数算出部とをさらに含む。
【００２０】
本発明の少なくとも一つの実施例において、前記遠隔認知訓練システムは、訓練プログラム提供装置を含む訓練センターをさらに備え、前記訓練プログラム提供装置は、前記認知訓練プログラムを提供する第１プログラム提供部及び精神健康管理プログラムを提供する第２プログラム提供部を含み、前記第２プログラム提供部は、活動内容を表す複数の第１アイコン及び前記活動内容に対する満足度を表す複数の第２アイコンを格納するアイコン格納部と、前記ユーザーがログイン画面を介してログインしてから、前記複数の第１アイコンのうち少なくとも一つの第１アイコンを前記複数の第２アイコンのうち前記第１アイコンに対応する第２アイコンを選択するための入力画面を提供する入力画面提供部と、前記ユーザーが前記入力画面を介して選択した前記第１アイコン及び前記第２アイコンを格納する選択アイコン格納部と、予め設定された期間の間に前記選択アイコン格納部に格納された前記第１アイコン及び前記第２アイコンを累積し、満足度別統計値を算出する統計値算出部と、前記統計値算出部が算出した前記満足度別統計値を表示する統計値表示部とを含む。
【００２１】
本発明の少なくとも一つの実施例において、前記第２プログラム提供部は、前記統計値算出部が算出した前記満足度別統計値に基づいて前記ユーザーに今後勧められる活動を提案する今後活動提案部をさらに含む。
【００２２】
本発明の少なくとも一つの実施例において、前記第２プログラム提供部は、前記入力画面を介して前記第１アイコン及び前記第２アイコンを選択したユーザーがその翌日またはそれ以降に前記ログイン画面を介してログインすると、前記入力画面を介して選択した前記第１アイコン及び前記第２アイコンを含む複数のアイコンを表示し、表示された複数のアイコンから前記入力画面を介して選択した前記第１アイコン及び前記第２アイコンを選択するようにするテスト画面を提供するテスト画面提供部と、前記テスト画面を介して前記ユーザーが表示された複数のアイコンから第１アイコン及び第２アイコンを選択すると、選択した第１アイコン及び第２アイコンと前記選択アイコン格納部に格納された前記第１アイコン及び前記第２アイコンとをそれぞれ比較し、比較結果に基づいて前記ユーザーの記憶点数を算出する記憶点数算出部とをさらに含む。
【００２３】
本発明の少なくとも一つの実施例においては、それぞれ固有のＩＤを有し、データを送受信可能な通信モジュールを含むＡＩスピーカーまたはセットトップボックスが、訓練センターから有線または無線通信を介して認知訓練プログラムを受信する工程と、前記ＡＩスピーカーまたはセットトップボックスが受信した前記認知訓練プログラムをディスプレイに再生する工程と、ユーザーが前記ディスプレイに再生される前記認知訓練プログラムに従って訓練を実施すると、モーションキャプチャー装置が前記ユーザーの動きを検出する工程と、訓練決定部が、前記モーションキャプチャー装置が検出した前記ユーザーの動きを前記認知訓練プログラムでの動きと比較し、比較結果に基づいて現在訓練の次のステップに進むかまたは現在訓練ステップを再実施するかを決定する工程とを備える、遠隔認知訓練方法を提供する。
【００２４】
本明細書でそれぞれの実施例は互いに独立的に記載されているが、それぞれの実施例は相互組合せが可能であり、組合せによる実施例も本発明の権利範囲に含まれる。
【００２５】
上述した要約は単に説明のためのものであり、如何なる形でも限定を意図するものではない。上述した説明様態、実施例、及び特徴に加え、追加の様態、実施例、及び特徴が図面及び詳細な説明を参照することで明確になるはずである。
【発明の効果】
【００２６】
本発明の少なくとも一つの実施例によれば、一般人または患者が望む時間帯に望む場所で個人に特化した訓練が受けられる遠隔認知訓練システム及び遠隔認知訓練方法を提供することができるという効果を奏する。
【００２７】
本発明の少なくとも一つの実施例によれば、記憶力訓練と結合し、認知機能が高まるようにすることで、未来の計画を肯定的に設計できるように支援する遠隔認知訓練システム及び遠隔認知訓練方法を提供することができるという効果を奏する。
【００２８】
本発明の効果は以上で言及されたものなどに限定されず、言及されていない他の効果は下記の記載から当該技術分野における通常の知識を有した者に明確に理解できるはずである。
【図面の簡単な説明】
【００２９】
【図１】本発明の少なくとも一つの実施例に係る遠隔認知訓練システムの概略図である。
【図２】本発明の少なくとも一つの実施例に係る遠隔認知訓練方法を説明するためのフローチャートである。
【図３】本発明の少なくとも一つの実施例に係るセットトップボックスの機能ブロック図である。
【図４】本発明の少なくとも一つの実施例に係るスケジューラを用いた第２プログラム提供部の機能ブロック図である。
【図５】本発明の少なくとも一つの実施例に係るスケジューラを用いた第２プログラム提供部の機能ブロック図である。
【図６】本発明の少なくとも一つの実施例に係るジャーナルを用いた第２プログラム提供部の機能ブロック図である。
【図７】本発明の少なくとも一つの実施例に係るジャーナルを用いた第２プログラム提供部の機能ブロック図である。
【図８】図４に示す第２プログラム提供部の第１入力画面提供部及び第２入力画面提供部の動作を説明するためのフローチャートである。
【図９】図４に示す第２プログラム提供部の今後活動提案部の動作を説明するためのフローチャートである。
【図１０】図５に示す第２プログラム提供部のテスト画面提供部の動作を説明するためのフローチャートである。
【図１１】図６に示す第２プログラム提供部の入力画面提供部の動作を説明するためのフローチャートである。
【図１２】図６に示す第２プログラム提供部の今後活動提案部の動作を説明するためのフローチャートである。
【図１３】図７に示す第２プログラム提供部のテスト画面提供部の動作を説明するためのフローチャートである。
【発明を実施するための形態】
【００３０】
以下、添付図面を参照し、本発明の少なくとも一つの実施例に係る遠隔認知訓練システム及び遠隔認知訓練方法について詳しく説明する。
【００３１】
図１は、本発明の少なくとも一つの実施例に係る遠隔認知訓練システムの概略図である。図２は、本発明の少なくとも一つの実施例に係る遠隔認知訓練方法のフローチャートである。図３は、本発明の少なくとも一つの実施例に係る遠隔認知訓練システムのセットトップボックスの機能ブロック図である。
【００３２】
図１に示す遠隔認知訓練システムは、訓練センター１１０から有線または無線通信（衛星またはケーブルなど）１２０を介して認知訓練プログラムを受信するためのＡＩスピーカーまたはセットトップボックス１３０を介して受信した認知訓練プログラムを再生するためのディスプレイ１４０、及びユーザーがディスプレイ１４０に再生される認知訓練プログラムに従って訓練を進行するとユーザーの動きを検出するモーションキャプチャー装置１５０で構成される。
【００３３】
本発明の少なくとも一つの実施例において、有線または無線通信１２０は、衛生やケーブルなどを介した有無線通信を含む。
【００３４】
ＡＩスピーカーまたはセットトップボックス１３０は、それぞれ固有のＩＤを有し、データを送受信可能な通信モジュール１３１及び外部装置を接続可能な拡張部（不図示）を含む。拡張部は、通信モジュール１３１に含まれても良い。
【００３５】
ＡＩスピーカーまたはセットトップボックス１３０は、モーションキャプチャー装置１５０が検出したユーザーの動きを認知訓練プログラムの動きと比較して現在訓練の次のステップに進むか、または現在訓練を再実施するかを決定する訓練決定部１３４を含む。
【００３６】
本発明の少なくとも一つの実施例において、ＡＩスピーカーまたはセットトップボックス１３０は、受信した認知訓練プログラムを格納可能なプログラム格納部１３２をさらに含む。
【００３７】
本発明の少なくとも一つの実施例に係る遠隔認知訓練システムは、ユーザーの体に付着し、ユーザーと所定の距離内に他人が近づくかまたはユーザーが予め設定された活動範囲（活動半径）に入ると自動でオン・オフしてユーザーの動きによる動画像を撮影するアクションカメラ１６０をさらに備える。アクションカメラ１６０は、撮影した動画像をＡＩスピーカーまたはセットトップボックス１３０に送信する送信部（不図示）を含む。
【００３８】
アクションカメラ１６０から動画像を受信したＡＩスピーカーまたはセットトップボックス１３０は、受信した動画像を訓練センター１１０に転送する。訓練センター１１０では、ＡＩスピーカーまたはセットトップボックス１３０から動画像を受信すると、受信した動画像に基づいて記憶回想訓練を実施して経験的及び自伝的記憶を向上させる。
【００３９】
図２に示すように、本発明の少なくとも一つの実施例に係る遠隔認知訓練方法は、訓練プログラム受信工程（ステップＳ２１０）、訓練プログラム再生工程（ステップＳ２２０）、訓練進行工程（ステップＳ２２５）、ユーザーの動き検出工程（ステップＳ２３０）、動き比較工程（ステップＳ２４０）、訓練決定工程（ステップＳ２５０）、次の訓練ステップ再生工程（ステップＳ２６０）、次のステップへの進行工程（ステップＳ２６５）、現在訓練ステップ再生工程（ステップＳ２７０）、及び現在訓練ステップ再実施工程（ステップＳ２７５）で構成される。
【００４０】
ステップＳ２１０の前に、例えば、ＡＩスピーカーまたはセットトップボックス１３０のＩＤを用いて遠隔認知訓練システムへログインする工程を行えるが、これは公知の技術のログイン画面を提供し、提供されたログイン画面でＩＤとＰＷを使用してログインする様々な形態を用いることができるので、これに関する詳細な説明は省略する。
【００４１】
ステップＳ２１０で、ＡＩスピーカーまたはセットトップボックス１３０は、訓練センター１１０から有線または無線通信１２０を介して認知訓練プログラムを受信する。訓練センター１１０から受信する認知訓練プログラムは、認知リハビリテーションプログラム、痴呆訓練プログラム、健康体操プログラム、記憶力訓練プログラム、メンタルヘルス訓練プログラムなどを含む。
【００４２】
ステップＳ２２０で、ＡＩスピーカーまたはセットトップボックス１３０を介して受信した認知訓練プログラムをディスプレイ１４０に再生する。ディスプレイ１４０は、タッチパネルを備えるディスプレイであっても良い。タッチパネルを備えたディスプレイの場合、ユーザーが必要な操作をリモコンや物理ボタンの代わりにディスプレイ上でタッチ操作で行うことができ、タッチパネルとタッチペンを用いたリハビリテーション訓練などを行うことが可能である。
【００４３】
ディスプレイ１４０に認知訓練プログラムが再生されると、ステップＳ２２５で、ユーザーはこれに従って訓練を進行する。
【００４４】
ユーザーがディスプレイ１４０に再生される認知訓練プログラムに従って訓練を進行すると、ステップＳ２３０で、モーションキャプチャー装置１５０がユーザーの動きを検出し、検出した動きデータをＡＩスピーカーまたはセットトップボックス１３０に転送する。
【００４５】
モーションキャプチャー装置１５０からユーザーの動きデータを受信すると、ステップＳ２４０で、ＡＩスピーカーまたはセットトップボックス１３０は、検出したユーザーの動きと認知訓練プログラムの動きを比較してユーザーが訓練を正しく行っているか否かを判断する。
【００４６】
ステップＳ２４０での比較結果に基づいて、ステップＳ２５０で、ＡＩスピーカーまたはセットトップボックス１３０は、訓練の次のステップに進むか否かを決定する。ステップＳ２５０で「Ｙ」と決定すると、ステップＳ２６０で、ＡＩスピーカーまたはセットトップボックス１３０は、ディスプレイ１４０に訓練の次のステップを再生する。
【００４７】
ステップＳ２６０でディスプレイ１４０に訓練の次のステップが再生されると、ステップＳ２６５で、ユーザーは、訓練の次のステップに進む。
【００４８】
ステップＳ２５０で「Ｎ」と決定すると、ステップＳ２７０で、ＡＩスピーカーまたはセットトップボックス１３０は、ディスプレイ１４０に訓練の現在ステップを再度再生する。
【００４９】
ステップＳ２７０でディスプレイ１４０に訓練の現在ステップが再生されると、ステップＳ２７５で、ユーザーは、現在訓練ステップを再実施する。
【００５０】
このように、本発明の少なくとも一つの実施例に係る遠隔認知訓練システムによれば、ユーザー（一般人または患者）が都合の良い時間に都合の良い場所で（例えば、家で）個人に特化した認知訓練（痴呆訓練、健康体操、記憶力向上、メンタルヘルスなど）をＴＶやモニターなどのディスプレイを介して簡単に遠隔で行うことが可能である。
【００５１】
視覚障害のある患者の場合、ＡＩスピーカー１３０を介して訓練を行うことができ、セットトップボックス１３０及びアクションカメラ１６０を介して聴覚障害のある患者のための訓練、痴呆を含む脳損傷患者のための訓練、発達障害、自閉児のための訓練などを病院や訓練センターではなく、例えば、家で簡単に行うことができる。
【００５２】
以下、図３を参照して本発明の少なくとも一つの実施例に係るＡＩスピーカーまたはセットトップボックス１３０について説明する。
【００５３】
ＡＩスピーカーまたはセットトップボックス１３０は、通信モジュール１３１、プログラム格納部１３２、再生部１３３、及び訓練決定部１３４を含む。
【００５４】
通信モジュール１３１は、外部装置（例えば、訓練センター、訓練用外部デバイスなど）との通信を行い、通信を介して訓練に必要な各種訓練用デバイスを接続する拡張部の機能も有する。
【００５５】
プログラム格納部１３２は、頻繁に使用する認知訓練プログラムをダウンロードして格納できる格納空間を提供する。プログラム格納部１３２には、認知訓練プログラムのみならず訓練に必要な各種データを格納することもできる。
【００５６】
再生部１３３は、訓練センター１１０から受信した認知訓練プログラムまたはプログラム格納部１３２に格納された認知訓練プログラムを実行してディスプレイ１４０にストリーミングする。再生部１３３は、ＡＩスピーカーまたはセットトップボックス１３０の代わりに、ディスプレイ１４０に含まれても良い。
【００５７】
再生部１３３は、認知訓練プログラムが実行を必要とするソフトウェアプログラムの場合これを実行する実行部、認知訓練プログラムが実行を必要としないストリーミング信号の場合これをディスプレイ１４０に伝達する中継部、認知訓練プログラムが実行を必要としないストリーミング信号であるがディスプレイ１４０で再生可能な信号への変換を必要とする場合、信号変換部の機能を少なくとも一つ含む。
【００５８】
訓練決定部１３４は、ユーザーがディスプレイ１４０に再生される認知訓練プログラムに従って訓練を進行する間に、モーションキャプチャー装置１５０からユーザーの動きデータを受信して認知訓練プログラムでの対応する動きと比較することで、ユーザーが訓練を正しく行っているか否かを判断し、判断結果に基づいて現在訓練ステップを繰り返すか、または次の訓練ステップに進むかを決定する。
【００５９】
本発明の少なくとも一つの実施例において、ユーザーが訓練を正しく行っているかを判断し、判断結果に基づいて現在訓練ステップを繰り返すか、または次の訓練ステップに進むかを決定する工程は、訓練センター１１０でクラウド判定機能を介して行っても良い。
【００６０】
本発明の少なくとも一つの実施例において、ＡＩスピーカーまたはセットトップボックス１３０は、ＡＩモジュール１３５をさらに含むことができる。ＡＩモジュール１３５を介して訓練決定部１３４の判断及び決定をより効率的にできるし、音声認識などを介してシステムを作動することもできる。
【００６１】
本発明の少なくとも一つの実施例において、ＡＩスピーカーまたはセットトップボックス１３０は単体の装置で構成することができる。セットトップボックスにＡＩスピーカー機能を備えるか、またはＡＩスピーカーにセットトップボックスの機能を備えることで一体型に構成することができる。
【００６２】
本発明の少なくとも一つの実施例において、ＡＩスピーカーまたはセットトップボックス１３０は個別の装置または一体化された装置としてディスプレイ１４０に内蔵することができる。さらに、モーションキャプチャー装置１５０もディスプレイに内蔵してスマートディスプレイを構成することもできる。
【００６３】
ＡＩスピーカーまたはセットトップボックス１３０は、それぞれ固有のＩＤを有するので、ユーザーの個人データと連動して個人化（すなわちカスタマイズ）した認知訓練が可能である。
【００６４】
訓練用デバイスは、例えば、踏み板を用いたゲーム形式の認知訓練装置や体に付着するセンサーなどを含む。
【００６５】
個人化した認知訓練のみならず、認知訓練デバイスと関連するコンテンツはクラウド形式で提供されるか、またはセットトップボックスにダウンロードして使用する。
【００６６】
ＡＩスピーカー１３０は、ＴＶ／モニター、アクションカメラ、モーションキャプチャー装置などの接続された各種のハードウェアを制御する。さらに、ＡＩスピーカー１３０は、ＡＩモジュールのないセットトップボックスも制御可能である。ＡＩスピーカー１３０は、ビッグデータとＡＩを用いてユーザーの訓練状況を判断し、その結果に基づく分析を提供するか、または新たな訓練ガイドを訓練センターなどのデータを用いて提供する。
【００６７】
訓練センター１１０は、例えば、クラウドセンターであり、ユーザーに提供されるコンテンツを格納し、ビッグデータの統合、管理、及び運営を行う。格納されたコンテンツ及びビッグデータは、クラウド形式でまたはセットトップボックスへのダウンロード形式で提供される。提供された訓練に対する結果などのデータも訓練センター１１０に転送されて格納される。
【００６８】
モーションキャプチャー装置１５０は、ユーザーの訓練状態などをキャプチャーする。モーションキャプチャー装置１５０は、ＡＩスピーカーまたはセットトップボックス１３０と連動し、キャプチャーしたデータに基づいてＡＩスピーカーまたはセットトップボックス１３０がユーザーの訓練の適切性を判断できるようにする。
【００６９】
アクションカメラ１６０は、ユーザーと特定の距離内に他人が近づくと自動で撮影を開始するか、またはＡＩスピーカーまたはセットトップボックス１３０と連動し、ユーザーが予め設定された活動範囲内に入ると自動でオン・オフするように構成される。アクションカメラ１６０は、ＡＩスピーカーまたはセットトップボックス１３０と連動してデータの同期化、充電、及びデータ転送が可能である。
【００７０】
本発明の少なくとも一つの実施例に係る遠隔認知訓練システムは、訓練プログラム提供装置（不図示）を含む訓練センター１１０をさらに備える。訓練プログラム提供装置は、認知訓練プログラムを提供する第１プログラム提供部（不図示）及び精神健康管理プログラムを提供する第２プログラム提供部を含む。
【００７１】
図４は、本発明の少なくとも一つの実施例に係るスケジューラを用いた第２プログラム提供部４００の機能ブロック図である。
【００７２】
図４に示すように、本発明の少なくとも一つの実施例に係る第２プログラム提供部４００は、ログイン画面提供部４１０、アイコン格納部４２０、第１入力画面提供部４３０、第１格納部４４０、第２入力画面提供部４５０、第２格納部４６０、統計値算出部４７０、統計値表示部４８０、及び今後活動提案部４９０で構成される。ここで、ログインは、ＡＩスピーカーまたはセットトップボックス１３０のＩＤを介して可能であり、予め認知訓練のためのシステムにログインをしている状態であれば、ログイン画面提供部４１０の機能は選択的であっても良い。
【００７３】
図４に示す第２プログラム提供部４００は、プロセッサ（ＣＰＵ）内でそれぞれの機能を行うモジュールを用いるアプリケーションで提供され、（例えば、スマートフォンのアプリケーション）、ログイン画面提供部４１０は、このようなアプリケーションでユーザーがログインするためのログイン画面を提供する。
【００７４】
アイコン格納部４２０は、予め複数の第１アイコン及び複数の第２アイコンを格納する。本発明の少なくとも一つの実施例において、第１アイコンは、ミーティング、スポーツ、映画鑑賞、業務などの活動内容を表すアイコンであり、第２アイコンは、それぞれの活動内容に対する満足度、成就度、または気分（以下、満足度と総称する）を表すアイコンである。
【００７５】
本発明の少なくとも一つの実施例において、第１アイコン及び第２アイコンは、一般的なアイコン、エモーティコン、及びイメージ（写真を含む）を含む。
【００７６】
第１アイコンまたは第２アイコンでイメージを用いると、記憶力に問題のあるユーザーの場合、損傷した記憶から正しい記憶を引き出すのにより多くの効果を出すことができる。
【００７７】
第１入力画面提供部４３０は、ユーザーがログイン画面を介してログインした後、日付を選択し、アイコン格納部４２０に格納された複数の第１アイコンのうち少なくとも一つの第１アイコンを選択するための第１入力画面を提供する。
【００７８】
本発明の少なくとも一つの実施例において、図４に示す第２プログラム提供部４００は、未来の日程を記録及び管理するスケジューラ（Ｓｃｈｅｄｕｌｅｒ）機能を介してメンタルヘルスを管理する装置で、第１入力画面で選択する日付は現在時点以降の未来時点に該当する。
【００７９】
本発明の少なくとも一つの実施例において、ユーザーは、第１入力画面で未来の日程が決まっている日付を選択し、その日に自分が活動する内容に該当する第１アイコンを選択する。
【００８０】
本発明の少なくとも一つの実施例において、ユーザーは、第１入力画面で活動内容に対する期待満足度を表す第２アイコンを選択することができる。例えば、５段階のレベルから期待満足度を選択する。満足度のレベルは５段階に限定されず、必要に応じてより少なくまたはより多く設定することが可能である。
【００８１】
第１格納部４４０は、ユーザーが第１入力画面を介して日付及び第１アイコンを選択すると、選択した日付及び第１アイコンを格納する。ここで、ユーザーは、日付及び第１アイコンと共に簡単なメモを入力することもでき、第１格納部４４０は、入力されたメモを日付及び第１アイコンと共に格納する。
【００８２】
この場合、メモの代わりに（またはメモと一緒に）イメージ（写真を含む）を格納しても良い。現代人の感性を考慮すると、テキストよりユーザーが自分で撮影したイメージまたはそれぞれの活動に関連するイメージを用いるのがテキストを用いたメモよりもっと効果的な場合がある。
【００８３】
ユーザーが第１入力画面で活動内容に対する期待満足度を表す第２アイコンを選択すると、第１格納部４４０は、選択された期待満足度を表す第２アイコンを日付及び第１アイコンと共に格納する。
【００８４】
第２入力画面提供部４５０は、第１入力画面を介して日付及び第１アイコンを選択したユーザーが日付及び第１アイコンを選択した日付の当日またはそれ以降にログイン画面を介して再びログインすると、第１格納部４４０に格納された日付及び第１アイコンを表示し、当該日付に第１アイコンに該当する活動を行ったか否かを選択し、アイコン格納部４２０に格納された複数の第２アイコンから行った活動に対する満足度に該当する少なくとも一つの第２アイコンを選択するための第２入力画面を提供する。
【００８５】
第２格納部４６０は、ユーザーが第２入力画面を介して選択した活動の遂行可否及び選択した第２アイコンを格納する。
【００８６】
統計値算出部４７０は、予め設定された期間の間に第２格納部４６０に格納された活動の遂行可否及び第２アイコンを累積し、活動遂行率及び満足度別統計値を算出する。
【００８７】
ここで、予め設定された期間と言うのは、３日、７日、１０日単位など、ユーザーが指定可能な期間で、日付的に過ぎた活動をレビュー可能で、過ぎた活動に基づいて今後メンタルヘルスに役に立つ活動などを推薦するのに統計的に適切な期間に設定することができる。
【００８８】
この場合、活動のタイプをユーザーの意志で選択的に行える活動と義務的に行わなければならない活動に分類し、タイプ別に活動遂行率を算出することができる。
【００８９】
即ち、趣味や親睦活動などの個人的な活動はユーザーの意志で選択的に行うことが可能なので前者に該当し、仕事などに関係し、必ず行わなければならない活動は意志とは関係なく義務的に行うべき活動であるので後者に該当する。
【００９０】
第１入力画面で活動内容に対する期待満足度を表す第２アイコンを選択した場合、統計値算出部４７０は、実際活動を行った後の満足度と比較して統計分析、推薦活動、心理状態分析などに活用することができる。
【００９１】
統計値表示部４８０は、統計値算出部４７０が算出した活動遂行率及び満足度別統計値を表示する。
【００９２】
今後活動提案部４９０は、統計値算出部４７０が算出した活動遂行率及び満足度別統計値に基づいてユーザーに今後勧められる活動を提案する。
【００９３】
例えば、今後活動提案部４９０は、満足度の高い活動を優先的にユーザーに勧めることで、ユーザーが今後満足度の高い活動を主に行うようにし、メンタルヘルスを向上させることができる。
【００９４】
統計値算出部４７０が活動とタイプをユーザーの意志で選択的に行える活動と選択的よりは義務的に行わなければならない活動に分類してタイプ別に活動遂行率を算出すると、例えば、前者に該当する活動の活動遂行率によってユーザーの意志状態を把握可能なので、今後活動提案部４９０は、ユーザーの意志状態によって今後勧められる活動を提案することができる。
【００９５】
このように、本発明の少なくとも一つの実施例によれば、ユーザーが入力したデータに基づいて算出した統計値を介して、過去の生活を認知し、普段意識していなかった部分を把握可能であり、未来に対する期待感を把握して、まだ起きてないことに対する情緒的な推論が可能になる。
【００９６】
さらに、本発明の少なくとも一つの実施例によれば、ユーザーが入力したデータに基づいて算出した統計値を介して、生活の活発さの程度、成就度の高低による責任感の強さ、否定的思考の予防、脅迫的義務感の解消、及び憂鬱、不安などの心理的な問題を把握して解決することができる。
【００９７】
さらに、本発明の少なくとも一つの実施例によれば、統計値算出部４７０が算出する統計値は一定期間の活動の数を含むことができ、これは活動の数によって生活の活力を把握することができ、計画した活動と実際に行った活動に基づいて成就度と遂行率を把握することができる。
【００９８】
さらに、本発明の少なくとも一つの実施例によれば、期待満足度と実際に活動を行ってからの実際満足度を比較し、現在の心理状態を推論し、心理状態を向上させられる方向に誘導したり、思考が否定的に流れることを防止するように誘導したりすることができる。
【００９９】
結論的に、本発明の少なくとも一つの実施例によれば、満足度が高かった活動と否定的な情緒の活動を共に把握し、喜びを与える活動が増えるように誘導することで、メンタルヘルスを向上させることができる。
【０１００】
図５は、本発明の少なくとも一つの実施例に係るスケジューラを用いた第２プログラム提供部５００の機能ブロック図である。
【０１０１】
図５に示す第２プログラム提供部５００は、図４に示す第２プログラム提供部４００に加え、テスト画面提供部５１０、記憶点数算出部５２０、及びフィードバック画面提供部５３０をさらに含み、ユーザーにメンタルヘルスの管理と共に記憶力向上のための訓練を提供することができる。
【０１０２】
テスト画面提供部５１０は、第１入力画面を介して日付及び第１アイコンを選択したユーザーがその翌日またはそれ以降にログイン画面を介してログインすると、第１入力画面を介して選択した日付及び第１アイコンを含む複数のアイコンを表示し、表示された複数のアイコンから第１入力画面を介して選択した日付及び第１アイコンを選択するようにする記憶力テスト画面を提供する。
【０１０３】
記憶点数算出部５２０は、テスト画面を介してユーザーが表示された複数のアイコンから日付及び第１アイコンを選択すると、選択した日付及び第１アイコンと第１格納部４４０に格納された日付及び第１アイコンとをそれぞれ比較し、比較結果に基づいてユーザーの記憶点数を算出する。
【０１０４】
フィードバック画面提供部５３０は、記憶点数算出部５２０が算出した記憶点数を表示するためのフィードバック画面を提供し、ユーザーが記憶力を向上させるための訓練を行うことができるようにする。
【０１０５】
ここで、記憶力テストを日付及び第１アイコンを選択してからその翌日またはそれ以降に実施するのは、人間は眠ることで記憶を固定することができるので、ユーザーに記憶を固定する時間を与えるためである。
【０１０６】
この場合、夜１２時以前にユーザーが入力画面を介して第１アイコン及び第２アイコンを選択した場合は、例えば、翌日午前４時以降にユーザーが再びログインすると活動取出テスト画面を表示する。
【０１０７】
従って、入力画面を介して第１アイコン及び第２アイコンを選択してから所定の時間（例えば、少なくとも４時間）の間睡眠をとることが重要なので、当日であっても睡眠をとる時間が含まれるならば（例えば、午前１時ごろにアイコンを選択し、その後数時間の睡眠をとるとすると、時間帯によっては所定の時間が経過した後）、このような場合も翌日に含まれる。
【０１０８】
即ち、本明細書で翌日は、入力画面を介して第１アイコン及び第２アイコンを選択してから所定の時間睡眠をとった後であることを意味する。
【０１０９】
本発明の少なくとも一つの実施例に係るメンタルヘルス管理装置は、スケジューラに基づく記憶力訓練プログラムを介して脳の広い領域を活性化することで記憶力を向上させる。
【０１１０】
認知神経科学の理論によると、記憶したことを頻繁に取り出すと記憶力が向上する。情報を取り出す方法の一つがテストである。自分が記憶しているのが正しいのか間違っているのかを確認すると、メタ記憶まで向上させることが可能である。本発明の少なくとも一つの実施例に係る記憶力テストは、ユーザーの未来日程に対する記憶を簡単で迅速にテストできるように構成されている。
【０１１１】
図６は、本発明の少なくとも一つの実施例に係るジャーナルを用いた第２プログラム提供部６００の機能ブロック図である。図７は、本発明の少なくとも一つの実施例に係るジャーナルを用いた第２プログラム提供部７００の機能ブロック図である。
【０１１２】
図４及び図５に示す第２プログラム提供部４００及び第２プログラム提供部５００は、入力データとして未来の日程を用いてスケジューラの機能を有するが、図６及び図７に示す第２プログラム提供部６００及び第２プログラム提供部７００は、過去に行った内容を入力データとして用いるジャーナル（日記）の機能を有する。
【０１１３】
図６に示すように、本発明の少なくとも一つの実施例に係る第２プログラム提供部６００は、ログイン画面提供部６１０、アイコン格納部６２０、入力画面提供部６３０、選択アイコン格納部６４０、統計値算出部６５０、統計値表示部６６０、及び今後活動提案部６７０で構成される。
【０１１４】
図６に示す第２プログラム提供部６００も、図４及び図５に示す第２プログラム提供部４００及び第２プログラム提供部５００と同じように、プロセッサ（ＣＰＵ）内でそれぞれの機能を行うモジュールを用いるアプリケーションで提供され、（例えば、スマートフォンのアプリケーション）、ログイン画面提供部６１０は、このようなアプリケーションでユーザーがログインするためのログイン画面を提供する。
【０１１５】
アイコン格納部６２０は、予め複数の第１アイコン及び複数の第２アイコンを格納する。 本発明の少なくとも一つの実施例において、第１アイコンは、ミーティング、スポーツ、映画鑑賞、業務などの活動内容を表すアイコンであり、第２アイコンは、それぞれの活動内容に対する満足度、成就度、または気分（以下、満足度と総称する）を表すアイコンである。
【０１１６】
本発明の少なくとも一つの実施例において、第１アイコン及び第２アイコンは一般的なアイコン、エモーティコン、及びイメージ（写真を含む）を含む。
【０１１７】
第１アイコンまたは第２アイコンとしてイメージを用いると、記憶力に問題があるユーザーの場合、損傷した記憶から正常な記憶を取り出すのに効果的である。
【０１１８】
入力画面提供部６３０は、ユーザーがログイン画面を介してログインした後、複数の第１アイコンのうち少なくとも一つの第１アイコンを選択し、複数の第２アイコンから第１アイコンに対応する第２アイコンを選択するための入力画面を提供する。
【０１１９】
本発明の少なくとも一つの実施例において、図６に示す第２プログラム提供部６００は、過去に行った日程を記録及び管理するジャーナル（日記）機能を介してメンタルヘルスを管理する装置で、入力画面で選択する第１アイコン及び第２アイコンは現在時点以前の過去時点で行った活動及びこれに対する満足度である。
【０１２０】
本発明の少なくとも一つの実施例において、ユーザーは入力画面で過去に行った活動に該当する第１アイコンを選択し、その活動に対する満足度に該当する第２アイコンを選択する。
【０１２１】
選択アイコン格納部６４０は、ユーザーが入力画面を介して選択した第１アイコン及び第２アイコンを格納する。ここで、ユーザーは第１アイコン及び第２アイコンと共に簡単なメモを入力することもでき、選択アイコン格納部６４０は入力されたメモを第１アイコン及び第２アイコンと共に格納する。
【０１２２】
この場合、メモの代わりに（またはメモと一緒に）イメージ（写真を含む）を格納しても良い。現代人の感性を考慮すると、テキストよりユーザーが自分で撮影したイメージまたはそれぞれの活動に関連するイメージを用いるのがテキストを用いたメモよりもっと効果的な場合がある。
【０１２３】
統計値算出部６５０は、予め設定された期間の間に選択アイコン格納部６４０に格納された第１アイコン及び第２アイコンを累積し、満足度別統計値を算出する。
【０１２４】
統計値表示部６６０は、統計値算出部６５０が算出した満足度別統計値を表示する。
【０１２５】
今後活動提案部６７０は、統計値算出部６５０が算出した満足度別統計値に基づいてユーザーに今後勧められる活動を提案する。
【０１２６】
例えば、今後活動提案部６７０は、満足度の高い活動を優先的にユーザーに勧めることで、ユーザーが今後満足度の高い活動を主に行うようにし、メンタルヘルスを向上させることができる。
【０１２７】
図７に示す第２プログラム提供部７００は、図６に示す第２プログラム提供部６００に加え、テスト画面提供部７１０、記憶点数算出部７２０、及びフィードバック画面提供部７３０をさらに含み、ユーザーにメンタルヘルス管理と共に記憶力を向上させるための訓練を提供することができる。
【０１２８】
テスト画面提供部７１０は、入力画面を介して第１アイコン及び第２アイコンを選択したユーザーがその翌日またはそれ以降にログイン画面を介してログインすると、入力画面を介して選択した第１アイコン及び第２アイコンを含む複数のアイコンを表示し、表示された複数のアイコンから入力画面を介して選択した第１アイコン及び第２アイコンを選択するようにするテスト画面を提供する。
【０１２９】
記憶点数算出部７２０は、テスト画面を介してユーザーが表示された複数のアイコンから第１アイコン及び第２アイコンを選択すると、選択した第１アイコン及び第２アイコンと選択アイコン格納部６４０に格納された第１アイコン及び第２アイコンとをそれぞれ比較し、比較結果に基づいてユーザーの記憶点数を算出する。
【０１３０】
フィードバック画面提供部７３０は、記憶点数算出部７２０が算出した記憶点数を表示するためのフィードバック画面を提供し、ユーザーが記憶力を向上させるための訓練を行えるようにする。
【０１３１】
ここで、記憶力テストを第１アイコン及び第２アイコンを選択してからその翌日またはそれ以降に実施するのは、人間は眠ることで記憶を固定することができるので、ユーザーに記憶を固定する時間を与えるためである。
【０１３２】
この場合、夜１２時以前にユーザーが入力画面を介して第１アイコン及び第２アイコンを選択した場合は、例えば、翌日午前４時以降にユーザーが再びログインすると活動取出テスト画面を表示する。
【０１３３】
従って、入力画面を介して第１アイコン及び第２アイコンを選択してから所定の時間（例えば、少なくとも４時間）の間睡眠をとることが重要なので、当日であっても睡眠をとる時間が含まれるならば（例えば、午前１時ごろにアイコンを選択し、その後数時間の睡眠をとるとすると、時間帯によっては所定の時間が経過した後）、このような場合も翌日に含まれる。
【０１３４】
即ち、本明細書で翌日は、入力画面を介して第１アイコン及び第２アイコンを選択してから所定の時間睡眠をとった後であることを意味する。
【０１３５】
本発明の少なくとも一つの実施例に係るメンタルヘルス管理装置は、ジャーナルに基づいた記憶力訓練プログラムを介して脳の広い領域を活性化することで記憶力を向上させる。
【０１３６】
認知神経科学の理論によると、記憶したことを頻繁に取り出すと記憶力が向上する。情報を取り出す方法の一つがテストである。自分が記憶しているのが正しいのか間違っているのかを確認すると、メタ記憶まで向上させることが可能である。
【０１３７】
本発明の少なくとも一つの実施例に係る記憶力テストは、ユーザーの過去の活動に対する記憶を簡単で迅速にテストできるように構成されている。
【０１３８】
図８は、図４に示す第２プログラム提供部４００の第１入力画面提供部４３０及び第２入力画面提供部４５０の動作を説明するためのフローチャートである。図９は、図４に示す第２プログラム提供部４００の今後活動提案部４９０の動作を説明するためのフローチャートである。図１０は、図５に示す第２プログラム提供部５００のテスト画面提供部５１０の動作を説明するためのフローチャートである。
【０１３９】
図８及び図９に示すように、本発明の少なくとも一つの実施例に係るメンタルヘルス管理方法は、ログイン画面を提供するログイン画面提供工程（ステップＳ８１０）、ユーザーがログイン画面を介してログインすると、日付を選択し、活動内容を表す複数の第１アイコンのうち少なくとも一つの第１アイコンを選択するための第１入力画面を提供する第１入力画面提供工程（ステップＳ８２０）、ユーザーが第１入力画面を介して日付及び第１アイコンを選択すると（ステップＳ８３０）、選択した日付及び第１アイコンを格納する第１格納工程（ステップＳ８４０）、入力画面を介して日付及び第１アイコンを選択したユーザーが日付及び第１アイコンを選択した日付の当日またはそれ以降にログイン画面を介して再びログインすると、第１格納工程（ステップＳ８４０）で格納された日付及び第１アイコンを表示し、当該日付に第１アイコンに該当する活動を行ったか否かを選択し、活動内容に対する満足度を表す複数の第２アイコンから当該活動に対する満足度に該当する少なくとも一つの第２アイコンを選択するための第２入力画面を提供する第２入力画面提供工程（ステップＳ８５０）、ユーザーが第２入力画面を介して活動の遂行可否及び第２アイコンを選択すると（ステップＳ８６０）、選択した活動の遂行可否及び第２アイコンを格納する第２格納工程（ステップＳ８７０）、予め設定された期間の間に第２格納工程（ステップＳ８７０）で格納された活動の遂行可否及び第２アイコンを累積し（ステップＳ９１０）活動遂行率及び満足度別統計値を算出する統計値算出工程（ステップＳ９２０）、統計値算出工程（Ｓ９２０）で算出した活動遂行率及び満足度別統計値を表示する統計値表示工程（ステップＳ９３０）、及び統計値算出工程（ステップＳ９２０）で算出した活動遂行率及び満足度別統計値に基づいてユーザーに今後勧められる活動を提案する今後活動提案工程（ステップＳ９４０）を備える。
【０１４０】
図１０に示すように、本発明の少なくとも一つの実施例に係るメンタルヘルス管理方法は、第１入力画面を介して日付及び第１アイコンを選択したユーザーがその翌日またはそれ以降にログイン画面を介して再びログインすると（ステップＳ１０１０）、第１入力画面を介して選択した日付及び第１アイコンを含む複数のアイコンを表示し、表示された複数のアイコンから第１入力画面を介して選択した日付及び第１アイコンを選択するようにするテスト画面を提供するテスト画面提供工程（ステップＳ１０２０）及びテスト画面を介してユーザーが表示された複数のアイコンから日付及び第１アイコンを選択すると（ステップＳ１０３０）、選択した日付及び第１アイコンと第１格納工程（ステップＳ８４０）で格納された日付及び第１アイコンとをそれぞれ比較し、比較結果に基づいてユーザーの記憶点数を算出する記憶点数算出工程（ステップＳ１０４０）をさらに備える。
【０１４１】
図１１は、図６に示す第２プログラム提供部６００の入力画面提供部６３０の動作を説明するためのフローチャートである。図１２は、図６に示す第２プログラム提供部６００の今後活動提案部６７０の動作を説明するためのフローチャートである。図１３は、図７に示す第２プログラム提供部７００のテスト画面提供部７１０の動作を説明するためのフローチャートである。
【０１４２】
図１１及び図１２に示すように、本発明の少なくとも一つの実施例に係るメンタルヘルス管理方法は、ログイン画面を提供するログイン画面提供工程（ステップＳ１１１０）、ユーザーがログイン画面を介してログインすると、活動内容を表す複数の第１アイコンのうち少なくとも一つの第１アイコンを選択し、活動内容に対する満足度を表す複数の第２アイコンから第１アイコンに対応する第２アイコンを選択するための入力画面を提供する入力画面提供工程（ステップＳ１１２０）、ユーザーが入力画面を介して第１アイコン及び第２アイコンを選択すると（ステップＳ１１３０）、選択した第１アイコン及び第２アイコンを格納する選択アイコン格納工程（ステップＳ１１４０）、予め設定された期間の間に選択アイコン格納工程（ステップＳ１１４０）で格納された第１アイコン及び第２アイコンを累積して（ステップＳ１２１０）満足度別統計値を算出する統計値算出工程（ステップＳ１２２０）、統計値算出工程（ステップＳ１２２０）で算出した満足度別統計値を表示する統計値表示工程（ステップＳ１２３０）、及び統計値算出工程（ステップＳ１２２０）で算出した満足度別統計値に基づいてユーザーに今後勧められる活動を提案する今後活動提案工程（ステップＳ１２４０）を備える。
【０１４３】
図１３に示すように、本発明の少なくとも一つの実施例に係るメンタルヘルス管理方法は、入力画面を介して第１アイコン及び第２アイコンを選択したユーザーがその翌日またはそれ以降にログイン画面を介して再びログインすると（ステップＳ１３１０）、入力画面を介して選択した第１アイコン及び第２アイコンを含む複数のアイコンを表示し、表示された複数のアイコンから入力画面を介して選択した第１アイコン及び第２アイコンを選択するようにするテスト画面を提供するテスト画面提供工程（ステップＳ１３２０）、及びテスト画面を介してユーザーが表示された複数のアイコンから第１アイコン及び第２アイコンを選択すると（ステップＳ１３３０）、選択した第１アイコン及び第２アイコンと選択アイコン格納工程（ステップＳ１１４０）で格納された第１アイコン及び第２アイコンとをそれぞれ比較し、比較結果に基づいてユーザーの記憶点数を算出する記憶点数算出工程（ステップＳ１３４０）をさらに備える。
【０１４４】
前述した本発明の少なくとも一つの実施例に係る様々な方法は、様々なコンピューター手段を介して読み取り可能なプログラムの形態で実現され、コンピューターで読み取り可能な記録媒体に記録することが可能である。ここで、記録媒体は、プログラム命令、データファイル、データ構造などを単独でまたは組み合わせで含むことができる。
【０１４５】
記録媒体に格納されるプログラム命令は、本発明のために特別に設計及び構成されたものまたはコンピューターソフトウェアの当業者に公知されて使用可能なもので良い。
【０１４６】
例えば、記録媒体は、ハードディスク、フロッピーディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気・光媒体（Ｍａｇｎｅｔｏ−ｏｐｔｉｃａｌ  Ｍｅｄｉａ）、及びロム（ＲＯＭ）、ラム（ＲＡＭ）、フラッシュメモリーのように、プログラム命令を格納して実行するように構成されたハードウェア装置を含む。
【０１４７】
プログラム命令の例には、コンパイラーによって作成される機械語ワイヤーのみならず、インタープリターなどを用いてコンピューターによって実行可能な高級言語ワイヤーが含まれる。前述のようなハードウェア装置は本発明の動作を遂行するために一つ以上のソフトウェアモジュールとして作動するように構成することができ、その逆も同様である。
【０１４８】
以上説明したように、本発明の少なくとも一つの実施例によれば、一般人または患者が望む時間帯に望む場所で個人に特化した訓練が受けられる遠隔認知訓練システム及び遠隔認知訓練方法を提供することができる。
【０１４９】
本発明の少なくとも一つの実施例によれば、記憶力訓練と結合し、認知機能が高まるようにすることで、未来の計画を肯定的に設計できるように支援する遠隔認知訓練システム及び遠隔認知訓練方法を提供することができる。
【０１５０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１５１】
１１０：訓練センター
１２０：衛星・ケーブル
１３０：ＡＩスピーカーまたはセットトップボックス
１３１：通信モジュール
１３２：プログラム格納部
１３３：再生部
１３４：訓練決定部
１３５：ＡＩモジュール
１４０：ディスプレイ
１５０：モーションキャプチャー装置
１６０：アクションカメラ
４００、５００、６００、７００：第２プログラム提供部
４１０、６１０：ログイン画面提供部
４２０、６２０：アイコン格納部
４３０：第１入力画面提供部
４４０：第１格納部
４５０：第２入力画面提供部
４６０：第２格納部
４７０、６５０：統計値算出部
４８０、６６０：統計値表示部
４９０、６７０：今後活動提案部
５１０、７１０：テスト画面提供部
５２０、７２０：記憶点数算出部
５３０、７３０：フィードバック画面提供部
６３０：入力画面提供部
６４０：選択アイコン格納部
【要約】
【課題】一般人または患者が望む時間帯に望む場所で個人に特化した訓練が受けられる遠隔認知訓練システム及び遠隔認知訓練方法を提供する。
【解決手段】遠隔認知訓練システムは、外部の訓練センターから有線または無線通信を介して認知訓練プログラムを受信するためのＡＩスピーカーまたはセットトップボックスと、前記ＡＩスピーカーまたはセットトップボックスを介して受信した前記認知訓練プログラムを再生するためのディスプレイと、ユーザーが前記ディスプレイに再生される認知訓練プログラムに従って訓練を進行すると、前記ユーザーの動きを検出するモーションキャプチャー装置とを備え、前記ＡＩスピーカーまたはセットトップボックスは、前記モーションキャプチャー装置が検出した前記ユーザーの動きに該当する前記認知訓練プログラムでの動きとを比較し、現在訓練ステップの次のステップに進めるかまたは現在訓練ステップを再実施するかを決定する訓練決定部を含む。
【選択図】図４【図１】
0006698207.tif 000002
【図２】
0006698207.tif 000003
【図３】
0006698207.tif 000004
【図４】
0006698207.tif 000005
【図５】
0006698207.tif 000006
【図６】
0006698207.tif 000007
【図７】
0006698207.tif 000008
【図８】
0006698207.tif 000009
【図９】
0006698207.tif 000010
【図１０】
0006698207.tif 000011
【図１１】
0006698207.tif 000012
【図１２】
0006698207.tif 000013
【図１３】
0006698207.tif 000014